(57)【特許請求の範囲】
【請求項１】
第１の基地局と第２の基地局を備えた上位局と、前記上位局と無線通信を行う下位局とを備えた通信システムであって、
前記下位局は、
前記第１の基地局から無線送信された信号を受信する第１の無線機と、
前記第１の無線機に接続され、前記第２の基地局と無線通信を行う第２の無線機とを備え、
前記第２の無線機は、ユーザによる操作部の操作に基づいて前記上位局の前記第２の基地局に通知信号を送信し、
前記上位局は、前記第２の無線機から前記通知信号を受信すると応答信号を前記第２の基地局から送信し、
前記第２の無線機は、前記応答信号を受信すると前記第１の無線機に前記通知信号の正常送信を示す情報を送信し、
前記第１の無線機は、前記正常送信を示す情報を受信するとその旨を報知することを特徴とする通信システム。
【請求項２】
請求項１に記載の通信システムにおいて、
前記第１の無線機は、自身の状態情報を前記第２の無線機に通知するように構成され、前記第２の無線機は前記状態情報に応じて前記正常送信を示す情報を送信するか否かを決定することを特徴とする通信システム。
【請求項３】
請求項２に記載の通信システムにおいて、
前記第２の無線機は、前記応答信号を受信した際、前記第１の無線機の前記状態情報が放送中である場合には前記正常送信を示す情報の送信を抑止し、前記状態情報が待機中に変化すると前記正常送信を示す情報を送信することを特徴とする通信システム。
【請求項４】
請求項３に記載の通信システムにおいて、
前記第２の無線機は、前記正常送信を示す情報を送信し、前記第１の無線機から応答を受信した後に前記第１の無線機の前記状態情報が放送中に変化すると、前記応答を受信してから前記第１の無線機の前記状態情報が放送中に変化するまでの時間に応じて、前記正常送信を示す情報を再送信するか否かを決定することを特徴とする通信システム。
【請求項５】
第１の基地局と第２の基地局を備えた上位局と無線通信を行う下位局としての通信装置であって、
前記第１の基地局から無線送信された信号を受信する第１の無線機と、
前記第１の無線機に接続され、前記第２の基地局と無線通信を行う第２の無線機とを備え、
前記第２の無線機は、ユーザによる操作部の操作に基づいて前記第２の基地局に通知信号を送信し、前記上位局の前記第２の基地局から前記通知信号に対する応答信号を受信すると、前記第１の無線機に前記通知信号の正常送信を示す情報を送信し、
前記第１の無線機は、前記正常送信を示す情報を受信するとその旨を報知することを特徴とする通信装置。
【発明の詳細な説明】
【技術分野】
【０００１】
本発明は、通信システムに関するものである。
【背景技術】
【０００２】
近年、市町村が、各地区内の住民に種々の情報を伝達するために、各家庭に戸別受信機を設置しておき、地区放送の親局から無線により送信される放送音声を戸別受信機で受信してスピーカ出力する地区放送（地域振興）システムが構築されている。
【０００３】
従来、基地局から無線送信される放送音声の信号（放送信号）を受信して放送音声をスピーカ出力する無線受信機として、例えば防災無線システムにおける戸別受信機がある。従来から、防災無線システムでは、戸別受信機を各家庭に設置して、種々の連絡事項を地域住民へ伝達することが行われている。このような戸別受信機に関し、これまでに種々の発明が提案されている（例えば、特許文献１参照。）。
【先行技術文献】
【特許文献】
【０００４】
【特許文献１】特開２０１１−７１８２１号公報
【発明の概要】
【発明が解決しようとする課題】
【０００５】
本発明は、地区放送システムや防災無線システムなどの通信システムにおいて、下位局が上位局に通知信号を送信した場合に、通知信号の送信が正常に完了した旨を下位局が確実に報知できるようにすることを目的とする。
【課題を解決するための手段】
【０００６】
本発明に係る無線通信システムは、第１の基地局と第２の基地局を備えた上位局と、前記上位局と無線通信を行う下位局とを備えた通信システムであって、前記下位局は、前記第１の基地局から無線送信された信号を受信する第１の無線機と、前記第１の無線機に接続され、前記第２の基地局と無線通信を行う第２の無線機とを備え、前記第２の無線機は、ユーザによる操作部の操作に基づいて前記上位局の前記第２の基地局に通知信号を送信し、前記上位局は、前記第２の無線機から前記通知信号を受信すると応答信号を前記第２の基地局から送信し、前記第２の無線機は、前記応答信号を受信すると前記第１の無線機に前記通知信号の正常送信を示す情報を送信し、前記第１の無線機は、前記正常送信を示す情報を受信するとその旨を報知することを特徴としている。
【０００７】
なお、前記第１の無線機は、自身の状態情報を前記第２の無線機に通知するように構成され、前記第２の無線機は前記状態情報に応じて前記正常送信を示す情報を送信するか否かを決定することが好ましい。
また、前記第２の無線機は、前記応答信号を受信した際、前記第１の無線機の前記状態情報が放送中である場合には前記正常送信を示す情報の送信を抑止し、前記状態情報が待機中に変化すると前記正常送信を示す情報を送信することが好ましい。
さらに、前記第２の無線機は、前記正常送信を示す情報を送信し、前記第１の無線機から応答を受信した後に前記第１の無線機の前記状態情報が放送中に変化すると、前記応答を受信してから前記第１の無線機の前記状態情報が放送中に変化するまでの時間に応じて、前記正常送信を示す情報を再送信するか否かを決定することが好ましい。
【０００８】
本発明に係る通信装置は、第１の基地局と第２の基地局を備えた上位局と無線通信を行う下位局としての通信装置であって、前記第１の基地局から無線送信された信号を受信する第１の無線機と、前記第１の無線機に接続され、前記第２の基地局と無線通信を行う第２の無線機とを備え、前記第２の無線機は、ユーザによる操作部の操作に基づいて前記第２の基地局に通知信号を送信し、前記上位局の前記第２の基地局から前記通知信号に対する応答信号を受信すると、前記第１の無線機に前記通知信号の正常送信を示す情報を送信し、前記第１の無線機は、前記正常送信を示す情報を受信するとその旨を報知することを特徴としている。
【発明の効果】
【０００９】
本発明によれば、下位局は通知信号の送信が正常に完了した旨を確実に報知することができる。
【図面の簡単な説明】
【００１０】
【図１】本発明の一実施例に係る通信システムのブロック図である。
【図２】本発明の一実施例である戸別応答装置を説明するための図である。
【図３】本発明の一実施例である通信システムの動作を説明するためのシーケンス図である。
【図４】本発明の一実施例である戸別応答装置が通知応答を受信できない場合の動作を説明するためのシーケンス図である。
【図５】本発明の一実施例である戸別受信機が放送中時の戸別応答装置できない場合の動作を説明するためのシーケンス図である。
【図６】本発明の一実施例である戸別応答装置が通知応答を受信できない場合で、戸別受信機が放送中時の戸別応答装置できない場合の動作を説明するためのシーケンス図である。
【図７】本発明の一実施例である通信システムがポーリング収集中時の動作を説明するためのシーケンス図である。
【図８】本発明の一実施例である通信システムがポーリング収集中時の他の動作を説明するためのシーケンス図である。
【図９】本発明の一実施例である通信システムの戸別応答装置ＩＤ情報テーブルを説明するため図である。
【発明を実施するための形態】
【００１１】
以下、本発明の一実施形態について図面を参照して説明する。
図１は本発明の一実施例に係る通信システムのブロック図である。
図１において、地区放送の通信システムは、地区放送設備３０と、ｎ個の戸別設備５０−１〜５０−ｎ（戸別設備５０−１〜５０−ｎを代表する場合は戸別設備５０と称する）を備えている。
各設備の設置場所は、例えば、センター設備１０が市町村役場であり、地区放送設備３０が公民館であり、戸別設備５０が各家庭である。ここでセンター設備１０、地区放送設備３０、及び、中継装置６０は上位局であり、戸別設備５０が下位局としての通信装置である。
【００１２】
センター設備１０と地区放送設備３０との間はネットワーク２０で接続され、地区放送設備３０と戸別設備５０との間は無線回線４０−１〜４０−ｎ（無線回線４０−１〜４０−ｎを代表する場合は無線回線４０と称する）で接続されている。さらに、センター設備１０と地区放送設備３０とは、本出願人が出願した特開2013-150297号公報に記載のように無線回線で接続されていてもよい。
なお、地区放送設備３０と戸別設備５０との間は、中継装置６０を介して通信（無線回線７０）してもよい。
無線回線４０は基地局３６からの電波であり例えば４００ＭＨｚ帯である。また、無線回線７０は、基地局３５、中継装置６０、戸別応答装置５０からの電波であり、例えば９２０ＭＨｚ帯である。ここで基地局３６と戸別受信機５２との間の無線回線４０を用いた通信方式と、基地局３５、中継装置６０、戸別応答装置５１との間の無線回線７０を用いた通信方式とは異なっている。
一般に、基地局装置（本一実施例では、地区放送設備３０）から戸別設備５０−１〜５０−ｎなどへの通信の方向を下りと言い、戸別設備５０−１〜５０−ｎなどから基地局装置（本実施例では、地区放送設備３０）への通信の方向を上りと言う。
【００１３】
センター設備１０は、扱者により操作されて各種の指令などを受け付ける操作卓１１と、戸別設備５０からの情報を収集してデータベース等に記憶する情報収集装置１２と、ネットワーク２０との通信を行う通信装置１３が備えられている。
【００１４】
地区放送設備３０は、扱者により操作されて各種の指令などを受け付ける放送卓３４と、人により遠隔地の電話端末から公衆回線網等のネットワークを介し操作されて、各種の指令などを受け付ける遠隔操作装置３３と、戸別設備５０からの情報を収集してデータベース等に記憶する情報収集装置３２と、ネットワーク２０との通信を行う通信装置３１と、制御部や無線部やアンテナを有して無線通信を行う基地局３５、３６が備えられている。
基地局３５は、情報収集装置１２あるいは情報収集装置３２からの情報を戸別応答装置５１に送信するとともに、戸別応答装置５１から送信された情報を受信する。一方、基地局３６は放送卓３４からの放送を戸別受信機５２に対して無線送信する。
なお、情報収集装置１２と情報収集装置３２は、ＰＣ（Personal  Computer）等でもよい。
また、通信装置１３と通信装置３１は、例えば、ルーター等である。
【００１５】
戸別設備５０は、戸別受信機５２と、戸別応答装置５１が備えられている。
戸別受信機５２は、基地局３６から送信された無線信号を受信する受信部と、人に対して音声を出力するスピーカと、文字情報等の画像を表示する表示部と、戸別応答装置５１とのインターフェースと、戸別受信機５２を制御する制御部とが備えられている。
【００１６】
次に、戸別応答装置５１について、図２を用いて説明する。
戸別応答装置５１は、緊急通報ボタンである表示灯付き助けてボタン５１０１と、確認ボタン５１０２と、表示灯５１０３と、図示していない基地局３５との通信装置およびボタン操作履歴や戸別受信機５２との通信記録やコマンドに対応した音声データを記憶している記憶部等を備えている。
【００１７】
次に、戸別応答装置ＩＤ情報テーブルについて、図９を用いて説明する。
図９の戸別応答装置ＩＤ情報テーブルは、例えばセンター設備１０の情報収集装置１２と、地区放送設備３０の情報収集装置３２に記憶されている。
戸別応答装置ＩＤ（Identifier）情報テーブルは、戸別応答装置ＩＤに地域番号、地域代表者名、名前等の名称等を対応付けたテーブルである。
戸別応答装置ＩＤ情報テーブルは、例えば、戸別応答装置ＩＤが“＊＊＊００４”には、地域番号が“Ａ”、地域代表者名が“○○消防団”、名称が“酒井”が対応付け付けられている。
情報収集装置１２または３２は、戸別応答装置５１から助けて信号を受信すると、戸別応答装置ＩＤテーブルに基づいて、地域代表に記入がある場合には当該地域代表に助けて信号を転送する。例えば、“酒井”及び“遠藤”から助けて信号を受信すると、その旨を“○○消防団”及び“△△会長”の戸別応答装置５１にそれぞれ送信する。
【００１８】
次に、本発明の一実施例である通信システムの動作について、図３を用いて説明する。
図３は本発明の一実施例である通信システムの動作を説明するためのシーケンス図である。
図３において、例えば、戸別応答装置ＩＤが“＊＊＊００２”の戸別応答装置５１は、操作者が行った緊急ボタンである助けてボタン５１０１の長押下（長押し）の操作を受け付けた場合（３０１）、助けてボタン５１０１の表示灯を点滅させ（３０２）、地区放送設備３０に無線回線７０で“助けて信号”（通知信号）を通知する（３０３）。
【００１９】
地区放送設備３０は、“助けて信号”を基地局３５で受信し、受信した“助けて信号”を通信装置３１を経由して情報収集装置３２に通知する。
情報収集装置３２は、“助けて信号”の受信情報を記憶すると共に遠隔操作装置３３と通信装置３１に出力する。
情報収集装置３２は、図示していない表示部に「助けて送信者名“田中”等」を表示する（３０４）。なお、情報収集装置３２は遠隔操作装置３３等に“助けて信号”を出力して表示させてもよい。
通信装置３１は、“助けて信号”をネットワーク２０を介してセンター設備１０に通知する（３０５）。
【００２０】
センター設備１０は、“助けて信号”を通信装置１３で受信し、受信した“助けて信号”を情報収集装置１２または操作卓１１に伝送する。
操作卓１１または情報収集装置１２は、“助けて信号”を図示していない表示部に戸別応答装置ＩＤ“＊＊＊００２”の戸別応答装置５１から“助けて信号”が送信された旨（助けて送信者名“田中”等）を表示する（３０６）。
情報収集装置１２は、“助けて信号”の受信情報を記憶すると共に通信装置１３に助けて信号通知応答信号を出力する。
通信装置１３は、“助けて信号通知応答信号”をネットワーク２０を介して地区放送設備３０に送信する（３０７）。
【００２１】
地区放送設備３０は、“助けて信号通知応答信号”を通信装置３１で受信し、受信した“助けて信号通知応答信号”を情報収集装置３２に出力する。
情報収集装置３２は、“助けて信号通知応答信号”を記憶すると共に通信装置３１を介して基地局３５に出力する。
基地局３５は、“助けて信号通知応答信号”を戸別応答装置５１に無線回線７０で送信する（３０８）。
【００２２】
戸別応答装置５１は、“助けて信号通知応答信号”を受信し、“助けて信号通知応答確認通知信号”を地区放送設備３０に無線回線７０で送信する（３０９）。
【００２３】
地区放送設備３０は、“助けて信号通知応答確認通知信号”を基地局３５で受信し、受信した“助けて信号通知応答確認通知信号”を通信装置３１を経由して情報収集装置３２に伝送する。
情報収集装置３２は、“助けて信号通知応答確認通知信号”の受信情報を記憶すると共に遠隔操作装置３３と通信装置３１に出力する。
通信装置３１は、“助けて信号通知応答確認通知信号”をネットワーク２０を介してセンター設備１０に通知する（３１０）。
さらに、情報収集装置３２は、“助けて送信者名消去指示信号”を通信装置３１に出力すると共に図示していない表示部に表示されている「助けて送信者名“田中”」等をクリア（消去）する（３１９）。
通信装置３１は、“助けて送信者名消去指示信号”をネットワーク２０を介してセンター設備１０に通知する（３１８）。
【００２４】
センター設備１０は、“助けて送信者名消去指示信号”を通信装置１３で受信し、受信した“助けて送信者名消去指示信号”を情報収集装置１２と操作卓１１に伝送する。
操作卓１１または情報収集装置１２は、扱者が行った確認ボタン押下の操作を受け付けた場合（３１７）、図示していない表示部に表示されている「助けて送信者名“田中”」等をクリア（消去）する（３２０）。
【００２５】
戸別応答装置５１は、“助けて信号通知応答確認通知信号”を送信した後、助けてボタン５１０１の表示灯を点灯させる（３１１）と共に戸別受信機５２に“助けて信号”が正常に送信されたことを示す情報として“ガイダンス鳴動要求信号”を出力する（３１２）。
戸別応答装置５１が出力する“ガイダンス鳴動要求信号”は、例えば、ガイダンス番号０２の“呼出信号送信成功”である。
【００２６】
戸別受信機５２は、戸別応答装置５１に“ガイダンス鳴動応答信号（受付結果＝ＯＫ）”を出力する（３１３）と共に図示していないスピーカから“呼出信号送信成功”を音声として出力する（３１４）。これにより、助けてボタンを押下したユーザは、助けて信号（緊急信号）がセンター設備に正常に届いたことを認識することができる。
【００２７】
戸別応答装置５１は、助けてボタン５１０１の表示灯を消灯させる（３１６）。
なお、戸別応答装置５１は、助けてボタン５１０１の表示灯を点灯後、５秒程度後に消灯させてもよい（３１５）。
【００２８】
次に、本発明の一実施例である通信システムの動作について、図４を用いて説明する。
図４は本発明の一実施例である戸別応答装置が通知応答を受信できない場合の動作を説明するためのシーケンス図である。
図４において、例えば、戸別応答装置ＩＤが“＊＊＊００２”の戸別応答装置５１は、操作者が行った緊急ボタンである助けてボタン５１０１の長押下（長押し）の操作を受け付けた場合（３０１）、助けてボタン５１０１の表示灯を点滅させ（３０２）、地区放送設備３０に無線回線７０で“助けて信号”を通知する（３０３）。
【００２９】
地区放送設備３０は、“助けて信号”を基地局３５で受信し、受信した“助けて信号”を通信装置３１を経由して情報収集装置３２に通知する。
情報収集装置３２は、“助けて信号”の受信情報を記憶すると共に遠隔操作装置３３と通信装置３１に出力する。
遠隔操作装置３３は、“助けて信号”を放送卓３４に出力する。
通信装置３１は、“助けて信号”をネットワーク２０を介してセンター設備１０に通知する（３０５）。
【００３０】
センター設備１０は、“助けて信号”を通信装置１３で受信し、受信した“助けて信号”を情報収集装置１２と操作卓１１に伝送する。
操作卓１１または情報収集装置１２は、“助けて信号”を図示していない表示部に戸別応答装置ＩＤ“＊＊＊００２”の戸別応答装置５１から“助けて信号”が送信された旨（助けて送信者名“田中”等）を表示する（３０６）。
情報収集装置１２は、“助けて信号”の受信情報を記憶すると共に通信装置１３に助けて信号通知応答信号を出力する。
通信装置１３は、“助けて信号通知応答信号”をネットワーク２０を介して地区放送設備３０に送信する（３０７）。
【００３１】
地区放送設備３０は、“助けて信号通知応答信号”を通信装置３１で受信し、受信した“助けて信号通知応答信号”を情報収集装置３２に出力する。
情報収集装置３２は、“助けて信号通知応答信号”を記憶すると共に通信装置３１を介して基地局３５に出力する。
基地局３５は、“助けて信号通知応答信号”を戸別応答装置５１に無線回線７０で送信する（３０８）。
しかし、戸別応答装置５１は無線回線７０の障害、混信等で“助けて信号通知応答信号”が受信できない場合がある（４０１）。
【００３２】
戸別応答装置５１は、地区放送設備３０に無線回線７０で“助けて信号”を通知後（３０３）、図示していない再送タイマーを作動させ（４０３）、所定時間である例えば、３０秒後までに“助けて信号通知応答信号”を受信しない場合には地区放送設備３０に無線回線７０で“助けて信号”を通知（再送１回目）する（４０２）。
【００３３】
地区放送設備３０は、“助けて信号”（再送１回目）を基地局３５で受信し、受信した“助けて信号”（再送１回目）を通信装置３１を経由して情報収集装置３２に通知する。
情報収集装置３２は、“助けて信号”（再送１回目）の受信情報を記憶すると共に遠隔操作装置３３と通信装置３１に出力する。
遠隔操作装置３３は、“助けて信号”（再送１回目）を放送卓３４に出力する。
通信装置３１は、“助けて信号”（再送１回目）をネットワーク２０を介してセンター設備１０に通知する（４０４）。
【００３４】
センター設備１０は、“助けて信号”（再送１回目）を通信装置１３で受信し、受信した“助けて信号”（再送１回目）を情報収集装置１２と操作卓１１に伝送する。
操作卓１１または情報収集装置１２は、“助けて信号”（再送１回目）を図示していない表示部に反映しない（４０５）。
情報収集装置１２は、“助けて信号”（再送１回目）の受信情報を記憶すると共に通信装置１３に助けて“信号通知応答信号”（通知２回目）を出力する。
通信装置１３は、助けて“信号通知応答信号”（通知２回目）をネットワーク２０を介して地区放送設備３０に送信する（４０６）。
【００３５】
地区放送設備３０は、“助けて信号通知応答信号”（通知２回目）を通信装置３１で受信し、受信した“助けて信号通知応答信号”（通知２回目）を情報収集装置３２に出力する。
情報収集装置３２は、“助けて信号通知応答信号”（通知２回目）を記憶すると共に通信装置３１を介して基地局３５に出力する。
基地局３５は、“助けて信号通知応答信号”を戸別応答装置５１に無線回線７０で送信する（４０７）。
しかし、戸別応答装置５１は無線回線７０の混信等で“助けて信号通知応答信号”（通知２回目）が再度受信できない場合がある（４０８）。
【００３６】
戸別応答装置５１は、地区放送設備３０に無線回線７０で“助けて信号”（再送１回目）を通知後（４０２）、図示していない再送タイマーを作動させ（４０９）、所定時間である例えば、３０秒後までに“助けて信号通知応答信号”を受信しない場合には地区放送設備３０に無線回線７０で“助けて信号”を通知（再送２回目）する（４１０）。
【００３７】
地区放送設備３０は、“助けて信号”（再送２回目）を基地局３５で受信し、受信した“助けて信号”（再送２回目）を通信装置３１を経由して情報収集装置３２に通知する。
情報収集装置３２は、“助けて信号”（再送２回目）の受信情報を記憶すると共に遠隔操作装置３３と通信装置３１に出力する。
遠隔操作装置３３は、“助けて信号”（再送２回目）を放送卓３４に出力する。
通信装置３１は、“助けて信号”（再送２回目）をネットワーク２０を介してセンター設備１０に通知する（４１１）。
【００３８】
センター設備１０は、“助けて信号”（再送２回目）を通信装置１３で受信し、受信した“助けて信号”（再送２回目）を情報収集装置１２と操作卓１１に伝送する。
操作卓１１または情報収集装置１２は、“助けて信号”（再送２回目）を図示していない表示部に反映しない（４１２）。
情報収集装置１２は、“助けて信号”（再送２回目）の受信情報を記憶すると共に通信装置１３に助けて“信号通知応答信号”（通知３回目）を出力する。
通信装置１３は、助けて“信号通知応答信号”（通知３回目）をネットワーク２０を介して地区放送設備３０に送信する（４１３）。
【００３９】
地区放送設備３０は、“助けて信号通知応答信号”（通知３回目）を通信装置３１で受信し、受信した“助けて信号通知応答信号”（通知３回目）を情報収集装置３２に出力する。
情報収集装置３２は、“助けて信号通知応答信号”（通知３回目）を記憶すると共に通信装置３１を介して基地局３５に出力する。
基地局３５は、“助けて信号通知応答信号”を戸別応答装置５１に無線回線７０で送信する（４１４）。
しかし、戸別応答装置５１は無線回線７０の混信等で“助けて信号通知応答信号”（通知３回目）が再々度受信できない場合がある（４１５）。
【００４０】
戸別応答装置５１は、地区放送設備３０に無線回線７０で“助けて信号”（再送２回目）を通知後（４１０）、図示していない再送タイマーを作動させ（４１６）、所定時間である例えば、３０秒後までに“助けて信号通知応答信号”を受信しない場合には戸別受信機５２に“ガイダンス鳴動要求信号”を出力する（４１７）。
戸別応答装置５１が出力する“ガイダンス鳴動要求信号”は、例えば、ガイダンス番号０３の“呼出信号送信失敗”である。
さらに、戸別応答装置５１は、助けてボタン５１０１の表示灯を消灯させる（４１８）。
なお、戸別応答装置５１は、“助けて信号”の再送回数を本例では２回としているが何回でもよい。
【００４１】
戸別受信機５２は、戸別応答装置５１に“ガイダンス鳴動応答信号（受付結果＝ＯＫ）”を出力する（４１９）と共に図示していないスピーカから“助けて信号失敗”を音声として出力する（４２０）。
【００４２】
次に、本発明の一実施例である通信システムの動作について、図５を用いて説明する。
図５は本発明の一実施例である戸別受信機が放送中で通知応答のガイダンス要求ができない場合の動作を説明するためのシーケンス図である。
図５において、例えば、戸別応答装置ＩＤが“＊＊＊００２”の戸別応答装置５１は、操作者が行った緊急ボタンである助けてボタン５１０１の長押下（長押し）の操作を受け付けた場合（３０１）、助けてボタン５１０１の表示灯を点滅させ（３０２）、地区放送設備３０に無線回線７０で“助けて信号”を通知する（３０３）。
【００４３】
地区放送設備３０は、“助けて信号”を基地局３５で受信し、受信した“助けて信号”を通信装置３１を経由して情報収集装置３２に通知する。
情報収集装置３２は、“助けて信号”の受信情報を記憶すると共に遠隔操作装置３３と通信装置３１に出力する。
遠隔操作装置３３は、“助けて信号”を放送卓３４に出力する。
通信装置３１は、“助けて信号”をネットワーク２０を介してセンター設備１０に通知する（３０５）。
【００４４】
センター設備１０は、“助けて信号”を通信装置１３で受信し、受信した“助けて信号”を情報収集装置１２と操作卓１１に伝送する。
操作卓１１または情報収集装置１２は、“助けて信号”を図示していない表示部に戸別応答装置ＩＤ“＊＊＊００２”の戸別応答装置５１から“助けて信号”が送信された旨（助けて送信者名“田中”等）を表示する（３０６）。
情報収集装置１２は、“助けて信号”の受信情報を記憶すると共に通信装置１３に助けて信号通知応答信号を出力する。
通信装置１３は、“助けて信号通知応答信号”をネットワーク２０を介して地区放送設備３０に送信する（３０７）。
【００４５】
地区放送設備３０は、“助けて信号通知応答信号”を通信装置３１で受信し、受信した“助けて信号通知応答信号”を情報収集装置３２に出力する。
情報収集装置３２は、“助けて信号通知応答信号”を記憶すると共に通信装置３１を介して基地局３５に出力する。
基地局３５は、“助けて信号通知応答信号”を戸別応答装置５１に無線回線７０で送信する（３０８）。
【００４６】
ここで、戸別設備５０は助けて信号通知応答を受信する前に、操作卓１１または放送卓３４からの放送を下り通報として無線回線４０で受信すると（５０１）、戸別受信機５２は通報内容を図示していないスピーカから音声出力（放送中）（５０２）すると共に戸別応答装置５１に“戸別受信機状態通知（動作状態＝放送中）”を送信する（５０３）。
【００４７】
そして、戸別応答装置５１は、戸別受信機５２が放送中に“助けて信号通知応答信号”を受信すると（３０８）、助けてボタン５１０１の表示灯を点灯させ（５０４）、５秒程度経過後（５０５）、助けてボタン５１０１の表示灯を消灯させる（５０６）。しかし、このとき戸別応答装置５１は戸別受信機５２が放送中であるため、ガイダンス鳴動要求の送信を抑止し待機する。
【００４８】
このように、戸別応答装置５１は、戸別受信機５２から“戸別受信機状態通知（動作状態＝放送中）”を受信すると、地区放送設備３０から“助けて信号通知応答信号”を受信しても、戸別受信機５２から“戸別受信機状態通知（動作状態＝待受中）”を受信するまでガイダンス鳴動要求は送信せずに待機する。換言すると、戸別受信機５２は自身の状態情報を戸別応答装置５１に通知するように構成され、戸別応答装置５１は戸別受信機５２の状態情報に応じて正常送信を示す情報（ガイダンス鳴動要求）を送信するか否かを決定する。
【００４９】
そして、戸別応答装置５１は、戸別受信機５２から“戸別受信機状態通知（動作状態＝待受中）”を受信すると（５０７）、地区放送設備３０から受信した“助けて信号通知応答信号”に基づいて戸別受信機５２に“ガイダンス鳴動要求信号”を出力する（５０８）。
戸別応答装置５１が出力する“ガイダンス鳴動要求信号”は、例えば、ガイダンス番号０２の“呼出信号送信成功”である。
【００５０】
戸別受信機５２は、戸別応答装置５１に“ガイダンス鳴動応答信号（受付結果＝ＯＫ）”を出力する（５０９）。ここで戸別受信機５２が呼出信号送信成功の通知を完了すれば処理は終了するが、図５の例では再度下り回線４０で通報を受信した場合を示す。
【００５１】
戸別受信機５２は、ガイダンス鳴動応答を送信後すぐに下り回線４０で通報を受信すると（５１０）、通報内容を図示していないスピーカから音声出力（放送中）（５１１）すると共に戸別応答装置５１に“戸別受信機状態通知（動作状態＝放送中）”を送信する（５１２）。
【００５２】
そして、戸別応答装置５１は、戸別受信機５２から“戸別受信機状態通知（動作状態＝待受中）”を受信すると（５１３）、呼出信号送信成功のガイダンスが正常に完了したか否かを判断する（５１４）。
具体的には、戸別応答装置５１は、戸別受信機５２から受信した“ガイダンス鳴動応答信号（受付結果＝ＯＫ）”（５０９）と、“戸別受信機状態通知（動作状態＝放送中）”（５１２）の受信時間差から戸別受信機５２の図示していないスピーカから“呼出信号送信成功”音声の鳴動が完了しているか否かを判定する（５１４）。例えば、戸別応答装置５１は、戸別受信機５２が呼出信号送信成功のガイダンスを再生するのに必要な時間以上を閾値として予め保持しており、ステップ５０９と５１２の間の時間が、かかる閾値より長いか否かを判断する。閾値より長ければガイダンスは正常完了したと判断し（５１４のＹＥＳ）、閾値以下であれば正常完了していないと判断する（５１４のＮＯ）。
戸別応答装置５１は、鳴動が完了している場合（５１４のＹＥＳ）には処理を終了し、鳴動が完了していない場合（５１４のＮＯ）には戸別受信機５２に“ガイダンス鳴動要求信号”を再度戸別受信機５２に出力する（５１５）。
このように、戸別応答装置５１は、ガイダンス鳴動応答信号を受信した後に戸別受信機５２の状態情報（動作状態）が放送中に変化すると、ガイダンス鳴動応答信号を受信してから状態情報が放送中に変化するまでの時間に応じて、ガイダンス鳴動要求を再送信するか否かを決定する。
戸別応答装置５１が出力する“ガイダンス鳴動要求信号”は、例えば、ガイダンス番号０２の“呼出信号送信成功”である。
【００５３】
戸別受信機５２は、戸別応答装置５１に“ガイダンス鳴動応答信号（受付結果＝ＯＫ）”を出力（５１６）すると共に図示していないスピーカから“呼出信号送信成功”を音声として出力する（５１７）。
【００５４】
次に、本発明の一実施例である通信システムの動作について、図６を用いて説明する。
図６は本発明の一実施例である戸別応答装置が通知応答を受信できない場合で、戸別受信機が放送中時の場合の動作を説明するためのシーケンス図である。
図６において、例えば、戸別応答装置ＩＤが“＊＊＊００２”の戸別応答装置５１は、操作者が行った緊急ボタンである助けてボタン５１０１の長押下（長押し）の操作を受け付けた場合（３０１）、助けてボタン５１０１の表示灯を点滅させ（３０２）、地区放送設備３０に無線回線７０で“助けて信号”を通知する（３０３）。
【００５５】
地区放送設備３０は、“助けて信号”を基地局３５で受信し、受信した“助けて信号”を通信装置３１を経由して情報収集装置３２に通知する。
情報収集装置３２は、“助けて信号”の受信情報を記憶すると共に遠隔操作装置３３と通信装置３１に出力する。
遠隔操作装置３３は、“助けて信号”を放送卓３４に出力する。
通信装置３１は、“助けて信号”をネットワーク２０を介してセンター設備１０に通知する（３０５）。
【００５６】
センター設備１０は、“助けて信号”を通信装置１３で受信し、受信した“助けて信号”を情報収集装置１２と操作卓１１に伝送する。
操作卓１１または情報収集装置１２は、“助けて信号”を図示していない表示部に戸別応答装置ＩＤ“＊＊＊００２”の戸別応答装置５１から“助けて信号”が送信された旨（助けて送信者名“田中”等）を表示する（３０６）。
情報収集装置１２は、“助けて信号”の受信情報を記憶すると共に通信装置１３に助けて信号通知応答信号を出力する。
通信装置１３は、“助けて信号通知応答信号”をネットワーク２０を介して地区放送設備３０に送信する（３０７）。
【００５７】
地区放送設備３０は、“助けて信号通知応答信号”を通信装置３１で受信し、受信した“助けて信号通知応答信号”を情報収集装置３２に出力する。
情報収集装置３２は、“助けて信号通知応答信号”を記憶すると共に通信装置３１を介して基地局３５に出力する。
基地局３５は、“助けて信号通知応答信号”を戸別応答装置５１に無線回線７０で送信する（３０８）。
しかし、戸別応答装置５１は無線回線７０の混信等で“助けて信号通知応答信号”が受信できない場合がある（４０１）。
【００５８】
戸別応答装置５１は、地区放送設備３０に無線回線７０で“助けて信号”を通知後（３０３）、図示していない再送タイマーを作動させ（４０３）、所定時間である例えば、３０秒後までに“助けて信号通知応答信号”を受信しない場合には地区放送設備３０に無線回線７０で“助けて信号”を通知（再送１回目）する（４０２）。
【００５９】
地区放送設備３０は、“助けて信号”（再送１回目）を基地局３５で受信し、受信した“助けて信号”（再送１回目）を通信装置３１を経由して情報収集装置３２に通知する。
情報収集装置３２は、“助けて信号”（再送１回目）の受信情報を記憶すると共に遠隔操作装置３３と通信装置３１に出力する。
遠隔操作装置３３は、“助けて信号”（再送１回目）を放送卓３４に出力する。
通信装置３１は、“助けて信号”（再送１回目）をネットワーク２０を介してセンター設備１０に通知する（４０４）。
【００６０】
センター設備１０は、“助けて信号”（再送１回目）を通信装置１３で受信し、受信した“助けて信号”（再送１回目）を情報収集装置１２と操作卓１１に伝送する。
操作卓１１または情報収集装置１２は、“助けて信号”（再送１回目）を図示していない表示部に反映しない（４０５）。
情報収集装置１２は、“助けて信号”（再送１回目）の受信情報を記憶すると共に通信装置１３に助けて“信号通知応答信号”（通知２回目）を出力する。
通信装置１３は、助けて“信号通知応答信号”（通知２回目）をネットワーク２０を介して地区放送設備３０に送信する（４０６）。
【００６１】
地区放送設備３０は、“助けて信号通知応答信号”（通知２回目）を通信装置３１で受信し、受信した“助けて信号通知応答信号”（通知２回目）を情報収集装置３２に出力する。
情報収集装置３２は、“助けて信号通知応答信号”（通知２回目）を記憶すると共に通信装置３１を介して基地局３５に出力する。
基地局３５は、“助けて信号通知応答信号”を戸別応答装置５１に無線回線７０で送信する（４０７）。
しかし、戸別応答装置５１は無線回線７０の混信等で“助けて信号通知応答信号”（通知２回目）が再度受信できない場合がある（４０８）。
【００６２】
戸別応答装置５１は、地区放送設備３０に無線回線７０で“助けて信号”（再送１回目）を通知後（４０２）、図示していない再送タイマーを作動させ（４０９）、所定時間である例えば、３０秒後までに“助けて信号通知応答信号”を受信しない場合には地区放送設備３０に無線回線７０で“助けて信号”を通知（再送２回目）する（４１０）。
【００６３】
地区放送設備３０は、“助けて信号”（再送２回目）を基地局３５で受信し、受信した“助けて信号”（再送２回目）を通信装置３１を経由して情報収集装置３２に通知する。
情報収集装置３２は、“助けて信号”（再送２回目）の受信情報を記憶すると共に遠隔操作装置３３と通信装置３１に出力する。
遠隔操作装置３３は、“助けて信号”（再送２回目）を放送卓３４に出力する。
通信装置３１は、“助けて信号”（再送２回目）をネットワーク２０を介してセンター設備１０に通知する（４１１）。
【００６４】
センター設備１０は、“助けて信号”（再送２回目）を通信装置１３で受信し、受信した“助けて信号”（再送２回目）を情報収集装置１２と操作卓１１に伝送する。
操作卓１１または情報収集装置１２は、“助けて信号”（再送２回目）を図示していない表示部に反映しない（４１２）。
情報収集装置１２は、“助けて信号”（再送２回目）の受信情報を記憶すると共に通信装置１３に助けて“信号通知応答信号”（通知３回目）を出力する。
通信装置１３は、助けて“信号通知応答信号”（通知３回目）をネットワーク２０を介して地区放送設備３０に送信する（４１３）。
【００６５】
地区放送設備３０は、“助けて信号通知応答信号”（通知３回目）を通信装置３１で受信し、受信した“助けて信号通知応答信号”（通知３回目）を情報収集装置３２に出力する。
情報収集装置３２は、“助けて信号通知応答信号”（通知３回目）を記憶すると共に通信装置３１を介して基地局３５に出力する。
基地局３５は、“助けて信号通知応答信号”を戸別応答装置５１に無線回線７０で送信する（４１４）。
しかし、戸別応答装置５１は無線回線７０の混信等で“助けて信号通知応答信号”（通知３回目）が再々度受信できない場合がある（４１５）。
【００６６】
戸別応答装置５１は、地区放送設備３０に無線回線７０で“助けて信号”（再送２回目）を通知後（４１０）、図示していない再送タイマーを作動させ（４１６）、所定時間である例えば、３０秒後までに“助けて信号通知応答信号”を受信しない場合には戸別受信機５２に“ガイダンス鳴動要求信号”を出力する（４１７）。
【００６７】
戸別受信機５２は、防災無線システム等から下り回線で通報を受信すると（６０１）、通報内容を図示していないスピーカから音声出力（放送中）（６０２）すると共に戸別応答装置５１に“ガイダンス鳴動応答（受付結果＝受付不可）”を送信する（６０３）。
【００６８】
戸別応答装置５１は、“ガイダンス鳴動応答（受付結果＝受付不可）”を受信すると、    戸別受信機５２から“戸別受信機状態通知（動作状態＝待受中）”を受信するまで待機する。
そして、戸別応答装置５１は、戸別受信機５２から“戸別受信機状態通知（動作状態＝待受中）”を受信すると（６０４）、戸別受信機５２に“ガイダンス鳴動要求信号”を出力する（６０５）。
戸別応答装置５１が出力する“ガイダンス鳴動要求信号”は、例えば、ガイダンス番号０３の“呼出信号送信失敗”である。
戸別応答装置５１が“ガイダンス鳴動要求信号（ガイダンス番号０３）”を出力する条件は、“戸別受信機状態通知（動作状態＝待受中）”の受信と、“ガイダンス鳴動応答（受付結果＝受付不可）”ありの場合である。
【００６９】
戸別受信機５２は、戸別応答装置５１に“ガイダンス鳴動応答信号（受付結果＝ＯＫ）”を出力する（６０６）と共に図示していないスピーカから“助けて信号失敗”を音声として出力する（６０７）。
【００７０】
次に、本発明の一実施例である通信システムの動作について、図７を用いて説明する。
図７は本発明の一実施例である通信システムがポーリング収集中時の動作を説明するためのシーケンス図である。
図７において、戸別応答装置５１、戸別受信機５２、地区放送設備３０、センター設備１０はポーリングにより情報収集中である（７０１）。
【００７１】
例えば、戸別応答装置ＩＤが“＊＊＊００２”の戸別応答装置５１は、操作者が行った緊急ボタンである助けてボタン５１０１の長押下（長押し）の操作を受け付けた場合（７０２）、助けてボタン５１０１の表示灯を点滅させ（７０３）、操作者が行った確認ボタン５１０２の押下の操作を受け付けた場合（７０４）、確認ボタン５１０２の表示灯を点灯させる（７０５）と共に地区放送設備３０に無線回線７０で“ポーリング収集要求信号”を出力する（７０６）。
【００７２】
地区放送設備３０は、“ポーリング収集要求信号”を基地局３５で受信し、受信した“ポーリング収集要求信号”を通信装置３１を経由して情報収集装置３２に通知する。
情報収集装置３２は、“ポーリング収集応答信号”を通信装置３１を介して基地局３５に出力する。
基地局３５は、“ポーリング収集応答信号”を戸別応答装置５１に無線回線７０で送信する（７０７）。
さらに、情報収集装置３２は、内蔵しているデータベース（ＤＢ）に記憶している“応答結果情報”を通信装置３１に出力する（７０８）。
通信装置３１は、“応答結果情報”をネットワーク２０を介してセンター設備１０に送信する（７０９）。
【００７３】
センター設備１０は、“応答結果情報”を通信装置１３で受信し、受信した“応答結果情報”を情報収集装置１２に伝送する。
情報収集装置１２は、内蔵しているデータベース（ＤＢ）に“応答結果情報”をコピーする（７１０）。
【００７４】
戸別応答装置５１は、所定間隔で地区放送設備３０または中継装置６０から送信される“助けて信号用ポーリング信号”を受信すると（７１１）、地区放送設備３０に無線回線７０で“助けて信号”を通知する（７１２）。
【００７５】
地区放送設備３０は、“助けて信号”を基地局３５で受信し、受信した“助けて信号”を通信装置３１を経由して情報収集装置３２に通知する。
情報収集装置３２は、“助けて信号”の受信情報を記憶すると共に遠隔操作装置３３と通信装置３１に出力する。
通信装置３１は、“助けて信号”をネットワーク２０を介してセンター設備１０に通知する（７１３）。
【００７６】
センター設備１０は、“助けて信号”を通信装置１３で受信し、受信した“助けて信号”を情報収集装置１２と操作卓１１に伝送する。
操作卓１１または情報収集装置１２は、“助けて信号”を図示していない表示部に戸別応答装置ＩＤ“＊＊＊００２”の戸別応答装置５１から“助けて信号”が送信された旨（助けて送信者名“田中”等）を表示する（７１４）。
情報収集装置１２は、“助けて信号”の受信情報を記憶すると共に通信装置１３に助けて信号通知応答信号を出力する。
通信装置１３は、“助けて信号通知応答信号”をネットワーク２０を介して地区放送設備３０に送信する（７１５）。
【００７７】
地区放送設備３０は、“助けて信号通知応答信号”を通信装置３１で受信し、受信した“助けて信号通知応答信号”を情報収集装置３２に出力する。
情報収集装置３２は、“助けて信号通知応答信号”を記憶すると共に通信装置３１を介して基地局３５に出力する。
基地局３５は、“助けて信号通知応答信号”を戸別応答装置５１に無線回線７０で送信する（７１６）。
なお、情報収集装置３２は、ポーリング収集中に“助けて信号通知応答信号”を受信した場合、次のポーリング対象の送信に“助けて信号通知応答信号”を割り込ませる、または元々のポーリング対象番号に空きを設け、次のポーリングの送信用に“助けて信号通知応答信号”を割り込ませる等を行う。
【００７８】
戸別応答装置５１は、“助けて信号通知応答信号”を受信すると、助けてボタン５１０１の表示灯を点灯させる（７１７）と共に戸別受信機５２に“ガイダンス鳴動要求信号”を出力する（７１８）。
戸別応答装置５１が出力する“ガイダンス鳴動要求信号”は、例えば、ガイダンス番号０２の“呼出信号送信成功”である。
【００７９】
戸別受信機５２は、戸別応答装置５１に“ガイダンス鳴動応答信号（受付結果＝ＯＫ）”を出力する（７１９）と共に図示していないスピーカから“呼出信号送信成功”を音声として出力する（７２０）。
【００８０】
戸別応答装置５１は、助けてボタン５１０１の表示灯を消灯させる（７２２）。
なお、戸別応答装置５１は、助けてボタン５１０１の表示灯を点灯後、５秒程度後に消灯させてもよい（７２１）。
【００８１】
次に、本発明の一実施例である通信システムの動作について、図８を用いて説明する。
図８は本発明の一実施例である通信システムがポーリング収集中時の他の動作を説明するためのシーケンス図である。
図８において、戸別応答装置５１、戸別受信機５２、地区放送設備３０、センター設備１０はポーリングにより情報収集中である（８０１）。
【００８２】
戸別応答装置５１は、操作者が行った確認ボタン５１０２の押下の操作を受け付けた場合（８０２）、確認ボタン５１０２の表示灯を点灯させる（８０３）。
さらに、戸別応答装置５１は、地区放送設備３０から“ポーリング収集要求信号”を受信すると（８０４）、地区放送設備３０に“ポーリング収集応答信号（確認押下情報）”を送信する（８０５）。
【００８３】
地区放送設備３０は、“ポーリング収集応答信号（確認押下情報）”を基地局３５で受信し、受信した“ポーリング収集応答信号（確認押下情報）”を通信装置３１を経由して情報収集装置３２に通知する。
情報収集装置３２は、内蔵しているデータベース（ＤＢ）に記憶している“応答結果情報”を通信装置３１に出力する（８０６）。
通信装置３１は、“応答結果情報”をネットワーク２０を介してセンター設備１０に送信する（８０７）。
【００８４】
センター設備１０は、“応答結果情報”を通信装置１３で受信し、受信した“応答結果情報”を情報収集装置１２に伝送する。
情報収集装置１２は、内蔵しているデータベース（ＤＢ）に“応答結果情報”をコピーする（８０８）。
【００８５】
例えば、戸別応答装置ＩＤが“＊＊＊００２”の戸別応答装置５１は、操作者が行った緊急ボタンである助けてボタン５１０１の長押下（長押し）の操作を受け付けた場合（８０８）、助けてボタン５１０１の表示灯を点滅させる（８１０）。
さらに、戸別応答装置５１は、所定間隔で地区放送設備３０または中継装置６０から送信される“助けて信号用ポーリング信号”を受信すると（８１１）、地区放送設備３０に無線回線７０で“助けて信号”を通知する（８１２）。
【００８６】
地区放送設備３０は、“助けて信号”を基地局３５で受信し、受信した“助けて信号”を通信装置３１を経由して情報収集装置３２に通知する。
情報収集装置３２は、“助けて信号”の受信情報を記憶すると共に遠隔操作装置３３と通信装置３１に出力する。
通信装置３１は、“助けて信号”をネットワーク２０を介してセンター設備１０に通知する（８１３）。
【００８７】
センター設備１０は、“助けて信号”を通信装置１３で受信し、受信した“助けて信号”を情報収集装置１２と操作卓１１に伝送する。
操作卓１１または情報収集装置１２は、“助けて信号”を図示していない表示部に戸別応答装置ＩＤ“＊＊＊００２”の戸別応答装置５１から“助けて信号”が送信された旨（助けて送信者名“田中”等）を表示する（８１４）。
情報収集装置１２は、“助けて信号”の受信情報を記憶すると共に通信装置１３に助けて信号通知応答信号を出力する。
通信装置１３は、“助けて信号通知応答信号”をネットワーク２０を介して地区放送設備３０に送信する（８１５）。
【００８８】
地区放送設備３０は、“助けて信号通知応答信号”を通信装置３１で受信し、受信した“助けて信号通知応答信号”を情報収集装置３２に出力する。
情報収集装置３２は、“助けて信号通知応答信号”を記憶すると共に通信装置３１を介して基地局３５に出力する。
基地局３５は、“助けて信号通知応答信号”を戸別応答装置５１に無線回線７０で送信する（８１６）。
なお、情報収集装置３２は、ポーリング収集中に“助けて信号通知応答信号”を受信した場合、次のポーリング対象の送信に“助けて信号通知応答信号”を割り込ませる、または元々のポーリング対象番号に空きを設け、次のポーリングの送信用に“助けて信号通知応答信号”を割り込ませる等を行う。
【００８９】
戸別応答装置５１は、“助けて信号通知応答信号”を受信すると、助けてボタン５１０１の表示灯を点灯させる（８１７）と共に戸別受信機５２に“ガイダンス鳴動要求信号”を出力する（８１８）。
戸別応答装置５１が出力する“ガイダンス鳴動要求信号”は、例えば、ガイダンス番号０２の“呼出信号送信成功”である。
【００９０】
戸別受信機５２は、戸別応答装置５１に“ガイダンス鳴動応答信号（受付結果＝ＯＫ）”を出力する（８１９）と共に図示していないスピーカから“呼出信号送信成功”を音声として出力する（８２０）。
【００９１】
戸別応答装置５１は、助けてボタン５１０１の表示灯を消灯させる（８２２）。
なお、戸別応答装置５１は、助けてボタン５１０１の表示灯を点灯後、５秒程度後に消灯させてもよい（８２１）。
【００９２】
上述の実施例により、本発明の無線通信システムは、戸別応答装置で助けて緊急ボタンが押下された場合、戸別受信機の状態が放送中や再生中の状態の場合には、応答ガイダンスの鳴音を待機し、その後、戸別受信機の待受状態通知を戸別応答装置が受信後に、戸別応答装置からガイダンスの鳴音を送信する。
このことにより、戸別応答装置の緊急ボタンが押下された場合、必ず応答を戸別受信機から音声通知することができる。
【００９３】
上述した実施形態では少なくとも以下の特徴を有する。
つまり、第１の基地局と第２の基地局を備えた上位局と、前記上位局と無線通信を行う下位局とを備えた通信システムであって、前記下位局は、前記第１の基地局から無線送信された信号を受信する第１の無線機と、前記第１の無線機に接続され、前記第２の基地局と無線通信を行う第２の無線機とを備え、前記第２の無線機は、ユーザによる操作部の操作に基づいて前記上位局の前記第２の基地局に通知信号を送信し、前記上位局は、前記第２の無線機から前記通知信号を受信すると応答信号を前記第２の基地局から送信し、前記第２の無線機は、前記応答信号を受信すると前記第１の無線機に前記通知信号の正常送信を示す情報を送信し、前記第１の無線機は、前記正常送信を示す情報を受信するとその旨を報知することを特徴としている。
これにより、操作者であるユーザは上位局への通知が正常に完了したことを確実に知ることができる。
【００９４】
なお、前記第１の無線機は、自身の状態情報を前記第２の無線機に通知するように構成され、前記第２の無線機は前記状態情報に応じて前記正常送信を示す情報を送信するか否かを決定することが好ましい。
これにより、第１の無線機が正常送信を報知できない状態であるときに第２の無線機が正常送信を示す情報を送信してしまい、報知が実施できなくなることを防止できる。
【００９５】
また、前記第２の無線機は、前記応答信号を受信した際、前記第１の無線機の前記状態情報が放送中である場合には前記正常送信を示す情報の送信を抑止し、前記状態情報が待機中に変化すると前記正常送信を示す情報を送信することが好ましい。
これにより、第１の無線機が放送中で報知できない状態であるときは第２の無線機が正常送信を示す情報を送信せず、第１の無線機が待機中で報知を実行できる状態になったら正常送信を示す情報を送信するので、確実に報知を実施できる。
【００９６】
さらに、前記第２の無線機は、前記正常送信を示す情報を送信し、前記第１の無線機から応答を受信した後に前記第１の無線機の前記状態情報が放送中に変化すると、前記応答を受信してから前記第１の無線機の前記状態情報が放送中に変化するまでの時間に応じて、前記正常送信を示す情報を再送信するか否かを決定することが好ましい。
これにより、第２の無線機が正常送信を示す情報を送信してもその後すぐに第１の無線機が別の放送を実施してしまい、正常送信の報知が実施されないことを防止でき、より確実に報知を実現できる。
【００９７】
以上本発明について詳細に説明したが、本発明は、ここに記載された通信システムに限定されるものではなく、上記以外の通信システムに広く適用することができることは言うまでもない。
また、上述した実施形態では、通知信号として助けてボタン押下による助けて信号を例に挙げて説明したが、本発明の通知信号はこれに限られるものでないことは言うまでもない。本発明の通知信号は受信確認のための確認ボタンの押下による確認信号であってもよいし、その他下位局から上位局へ通知すべきすべての信号に適用することができる。
【００９８】
さらに、上述した実施形態では、戸別受信機５２のガイダンスとして音声報知を例として説明したが、戸別受信機５２による正常送信完了を示す報知は音声に限られず、表示部における文字表示やＬＥＤ点灯などであってもよい。
【００９９】
また、上述した実施形態では、下位局としての戸別設備５０の戸別応答装置５１と戸別受信機５２とは別筐体である例をあげて説明したが、それに限られるものではない。こららが一体装置であってもよく、戸別応答装置５１と戸別受信機５２とが少なくとも接続されていればよい。
【符号の説明】
【０１００】
１０：センター設備、１１：操作卓、１２，３２：情報収集装置、１３，３１：通信装置、２０：ネットワーク、３０：地区放送設備、３３：遠隔操作設備、３４：放送卓、３５、３６：基地局、５０−１〜５０−ｎ：戸別設備、５１：戸別応答装置、５２：戸別受信機、６０：中継装置。
【図１】
0006457273.tif 000002
【図２】
0006457273.tif 000003
【図３】
0006457273.tif 000004
【図４】
0006457273.tif 000005
【図５】
0006457273.tif 000006
【図６】
0006457273.tif 000007
【図７】
0006457273.tif 000008
【図８】
0006457273.tif 000009
【図９】
0006457273.tif 000010